(57)【要約】【課題】  複雑な機構無しにインターバル撮影を可能とする。【解決手段】  所定期間毎に１フレームづつ前記撮像手段により得られた画像データを記録するインターバル撮影モードにおいて、前記撮像手段により得られた一連の複数フレームの画像データを前記インターバル撮影モードであることを示す付加情報と共に前記メモリーカードに記録すると共に、前記付加情報に基づいて前記メモリーカードに記録された一連の複数フレームの画像データを前記メモリーカードから再生し、１フレームにつき複数フレーム分繰り返し前記テープ上記録媒体に記録する。【選択図】        図１
2005175892.tif 000002
【特許請求の範囲】
【請求項１】
撮像手段と、
テープ状記録媒体に対して画像を記録する記録手段と、
メモリーカードに対して動画を記録再生するカードインターフェイスと、
所定期間毎に１フレームづつ前記撮像手段により得られた画像データを記録するインターバル撮影モードにおいて、前記撮像手段により得られた一連の複数フレームの画像データを前記インターバル撮影モードであることを示す付加情報と共に前記メモリーカードに記録すると共に、前記付加情報に基づいて前記メモリーカードに記録された一連の複数フレームの画像データを前記メモリーカードから再生し、１フレームにつき複数フレーム分繰り返し前記テープ上記録媒体に記録するよう前記カードインターフェイスと記録手段とを制御する制御手段とを備えたことを特徴とする画像処理装置。
【発明の詳細な説明】
【技術分野】
【０００１】
本発明は、画像を撮像し、記録再生する画像処理装置に関する。
【背景技術】
【０００２】
従来、特許文献１に記載の様に、映像撮影技法のひとつとしてコマ撮り撮影という技法が知られている。この技法は、数秒から数分に一度１コマだけ繰り返し撮影することで、非常に長い時間がかかる現象、たとえば花の開花や雲の動きなどを映像として短時間にまとめることが可能となる。また、アニメーションを製作する場合にも使用される。
【０００３】
従来のフィルムを用いたシネカメラにおいては、フィルムを一こまづつ静止させて撮影することが容易であったため、コマ撮り撮影は容易に実現でき、多くのシネカメラにこの機能は搭載され、また一般的な撮影手法として広く用いられてきた。
【特許文献１】特開平７−７４９９２号公報
【発明の開示】
【発明が解決しようとする課題】
【０００４】
一方、デジタルビデオテープを動画記録媒体とするビデオカメラにおいて、磁気テープにコマ撮り撮影を記録するためには、磁気テープの速度、位置などを正確に変化させなければならない。そのため、非常に複雑で精度の高い磁気テープ記録制御機構を必要とし、一般的なビデオカメラとして安価に実現することは不可能であった。
【０００５】
また、テープ記録の代わりにランダムアクセスが可能な大容量のメモリをこれらの撮影機能のためだけに内蔵させることは、コストの点で不利であり現実的ではない。
【０００６】
また、従来このような効果をビデオ映像で得るためには、高価な専用のビデオ編集装置を使用する必要があったが、映像の取り込みやダビングの手間がかかっていた。
【０００７】
また、シネカメラによるアニメーション撮影を行う場合、８〜１０ｆｐｓ程度のフレームレートの動画として記録している場合が多い。この場合、２４ｆｐｓで再生されることを前提に、数フレーム程度同じ静止画を撮影して、再生時に意図するフレームレートとなるように撮影する。しかし、この方法では複数コマ同じ静止画を撮影する分だけフィルムの無駄が生じていた。
【０００８】
本発明はこの様な問題を解決し、複雑な機構無しにインターバル撮影を可能とする画像処理装置を提供することを目的とする。
【課題を解決するための手段】
【０００９】
上記課題を解決するために、本発明の画像処理装置は以下の構成を備える。
【００１０】
撮像手段と、
テープ状記録媒体に対して画像を記録する記録手段と、
メモリーカードに対して動画を記録再生するカードインターフェイスと、
所定期間毎に１フレームづつ前記撮像手段により得られた画像データを記録するインターバル撮影モードにおいて、前記撮像手段により得られた一連の複数フレームの画像データを前記インターバル撮影モードであることを示す付加情報と共に前記メモリーカードに記録すると共に、前記付加情報に基づいて前記メモリーカードに記録された一連の複数フレームの画像データを前記メモリーカードから再生し、１フレームにつき複数フレーム分繰り返し前記テープ上記録媒体に記録するよう前記カードインターフェイスと記録手段とを制御する制御手段とを備えたことを特徴とする画像処理装置。
【００１１】
本発明に係わる画像処理装置においては、コマ撮り撮影した静止画像を一時的にメモリーカードに記録したのち、磁気テープに通常速度で記録を行う。ランダムアクセスが可能であるメモリーカードを使用することで、直接デジタルビデオテープに記録する場合に問題であった複雑なテープ記録制御機構が不要となり、従来のテープ記録制御機構のまま、これらの撮影機能を実現することが可能となる。
【００１２】
また、ビデオ編集装置を使用した場合に比べ、取り込みやダビングの手間がかからず、より簡便に、安価にこれらの撮影を行うことができる。
【００１３】
また、記録媒体に、近年のビデオカメラでは一般的に装備されている静止画および動画記録用のメモリーカード記録装置を使用することで実現可能なため、本体内に専用の大容量メモリなどを内蔵する方法に比べ、より安価に実現可能である。また、メモリーカードは交換可能なため、録画時間に応じた記憶容量を使用者が選択することが可能となり、使用者のコスト負担を最低限に抑えることができる。
【００１４】
また、メモリーカードに記録された一連のコマ撮り静止画をデジタルビデオテープに記録する際、図３（１）のように、１枚の静止画を１フレームとして動画記録する場合、同じシーンの静止画を複数こま撮影・記録しなければならないが、図３（２）のように、１枚のコマ撮り静止画を複数フレームにわたってデジタルビデオテープに記録するようにすることで、同じシーンの静止画を何枚も撮影する必要がなくなり、メモリーカードの記録領域の節約にもなるだけでなく、ユーザーの意図に合わせたフレームレートでのコマ撮り記録も可能となる。
【発明の効果】
【００１５】
請求項１において、画像をメモリーカードに記録したのち、ビデオテープに記録することで、コマ撮り撮影を直接テープ記録する場合に従来問題であった複雑なテープ記録制御機構が不要となり、従来のテープ記録制御機構で、安価に実現できる。また、メモリーカードは交換可能なため、録画時間に応じた記憶容量を使用者が選択することが可能となり、使用者のコスト負担を最低限に抑えることができる。
【００１６】
また、高価な専用のビデオ編集装置を使用しなくてもこれらの撮影効果を得られるため、取り込みやダビングの手間が不要となる。
【００１７】
また、メモリーカードに撮影される静止画ファイルにタグをつけることで、他に撮影された静止画とは区別することが可能となり、タグをつけた静止画からのみコマ撮り映像を作ることが可能となる。
【００１８】
また、メモリーカードからデジタルビデオテープに記録する際、１枚の静止画を１フレームとして動画記録する場合、同じ静止画を複数こま撮影・記録しなければならないが、１枚の静止画を複数フレームにわたってデジタルビデオテープに記録するようにすることで、ユーザーの意図に合わせたフレームレートでのコマ撮り記録が可能となるだけでなく、メモリーカードの記録領域の節約にもなる。
【発明を実施するための最良の形態】
【００１９】
以下に本発明を実施するための最良の形態を実施例に基づいて図面を参照しながら説明する。
【実施例】
【００２０】
図１に本発明に係る撮像装置の構成図を示す。
【００２１】
被写体からの光は全体制御回路１０７により制御されたレンズ１０１およびアイリス１０２によりＣＣＤ１０３上に結像する。この像をＣＣＤ１０３で受光し、電気信号に変換する。
【００２２】
ＣＣＤ１０３からの電気信号はＡ／Ｄ変換器１０４によりデジタル信号に変換し、このデジタル信号を信号処理回路１０６により画像処理を行い、デジタル映像信号へ変換する。
【００２３】
画像入出力コントローラ１０８は、信号処理回路１０６から出力されるデジタル映像信号と外部映像入出力回路１１５、電子ファインダー出力回路１１６、メモリーカード記録再生制御回路１０９、テープ記録再生制御回路１１１を相互に接続し、入出力の制御を行う。
【００２４】
メモリーカード記録再生制御回路１０９は、画像入出力コントローラ１０８から出力されるデータを圧縮し、メモリーカード１１０に記録する。また、メモリーカード１１０のデータの読み込み、伸長を行う。テープ記録再生制御回路１１１も同様に、デジタルビデオテープ１１２の圧縮と記録、読み込みと伸長を行う。
【００２５】
外部映像入出力回路１１５は、画像入出力コントローラ１０８からのデータを出力する他、外部からの映像を画像入出力コントローラ１０８に入力する。
【００２６】
全体制御回路１０７は、レンズ１０１、アイリス１０２、Ａ／Ｄ変換器１０４、タイミング発生器１０５、信号処理回路１０６、画像入出力コントローラ１０８に対し撮影モードにより動作をそれぞれ設定する。
【００２７】
撮影モード設定入力ボタン１１３により、撮影モードの切り替え指示およびフレームレートの入力を、録画開始・停止ボタン１１４により動画像の記録指示を、静止画記録ボタンにより静止画の記録指示を全体制御回路１０７に入力する。
【００２８】
また、電子ファインダー出力回路１１６により、撮影中の画像や、外部入力の画像、再生中の画像、撮影モードなどの表示を行う。
【００２９】
請求項１における実施例を以下に示す。
【００３０】
撮影モード設定入力ボタン１１３によりコマ撮り撮影が選択されると（Ｆ２０１）、全体制御回路１０７はコマ撮り撮影モードに入る。
【００３１】
コマ撮り入力モードに入ると、電子ファインダー出力回路はコマ撮り撮影モードであることを使用者に示す画面（図４（１））を表示する（Ｆ２０２）。
【００３２】
静止画記録ボタン１１５が入力されると（Ｆ２０３）、ＣＣＤ１０３で受光した映像はＡ／Ｄ変換器１０４を経て、信号処理回路１０６でデジタル映像信号に変換される。
【００３３】
このデジタル映像信号は、画像入出力コントローラ１０８によりＪＰＥＧ等の静止画フォーマットに変換された後、メモリーカード記録再生制御回路１０９に渡され、メモリーカード１１０に静止画として記録される（Ｆ２０４）。この際、図５に示すように、ファイル名をコマ撮り撮影であることを示す名前（タグ）と連番を付加したものとすることで、通常の静止画と区別できるようにする。また別の方法として、記録するファイルフォーマットがＥＸＩＦなどのフォーマットなどの場合、シャッタースピードや露出などを記録する撮影情報記録領域にコマ撮り撮影機能である旨を記録してもよい。
【００３４】
撮影モード設定入力ボタン１１３の入力により全体制御回路１０７のコマ撮り撮影が完了したことが入力されると（Ｆ２０５）、全体制御回路１０７はメモリーカード１１０に記録されたコマ撮り画像をデジタルビデオテープ１１２に記録する際のフレームレートを入力するモードに入り、フレームレート入力画面（図４（２））を電子ファインダー出力回路１１６により表示する（Ｆ２０６）。
【００３５】
ここで、撮影モード設定入力ボタン１１３により、フレームレートを入力し、使用者の好みに合ったフレームレートでデジタルビデオテープ１１２に記録できるよう全体制御回路１０７に指示する（Ｆ２０７）。ここでのフレームレートは、たとえばＮＴＳＣのフォーマットであるならば、約３０ｆｐｓ（フィールド画とするならば約６０ｆｐｓ）から数ｆｐｓ程度を選択することができるようにする。
【００３６】
フレームレートが使用者により入力されると、電子ファインダー出力回路１１６はテープ記録中である画面（図４（３））を電子ファインダーに表示する（Ｆ２０８）。
【００３７】
全体制御回路１０７からの指示により、画像入出力コントローラ１０８は、メモリーカード記録再生制御回路１０９により、メモリーカード１１０に記録されたコマ撮り撮影されたことを示す連番タグのついた静止画を読み出し、ＤＶフォーマットに変換する。そして先ほど入力されたフレームレートとなるようにテープ記録再生制御回路１１１に出力し、デジタルビデオテープ１１２に記録する（Ｆ２０９）。このとき、たとえば１５ｆｐｓのフレームレートが使用者によって入力されていたとすると、ＮＴＳＣ規格の３０ｆｐｓで記録する撮像装置とするならば、図３−２のように、１枚の静止画を２フレーム分デジタルビデオテープに記録することで、１５ｆｐｓの動画として記録する。
【００３８】
テープ記録が完了すると、電子ファインダー出力回路１１６はテープ記録が終了した画面（図４（４））を電子ファインダーに表示する（Ｆ２１０）。
【００３９】
以上のように動作させることで、コマ撮り撮影を実現することが可能となる。
【図面の簡単な説明】
【００４０】
【図１】本発明に係る撮像装置の構成図
【図２】本発明の実施例を示すフローチャート
【図３】メモリーカードからテープに記録する際の概念図
【図４】本発明の実施例における画面表示例を示す図
【図５】本発明の実施例におけるメモリーカード内のフォルダ階層とファイル名の構成例を示す図
【符号の説明】
【００４１】
１０１  レンズ
１０２  アイリス
１０３  ＣＣＤ
１０４  Ａ／Ｄ変換器
１０６  信号処理回路
１０７  全体制御回路
１０８  画像入出力コントローラ
１０９  メモリーカード記録再生制御回路
１１０  メモリーカード
１１１  テープ記録再生制御回路
１１２  デジタルビデオテープ
１１３  撮影モード設定入力ボタン
１１４  録画開始・停止ボタン
１１５  外部映像入出力回路
１１６  電子ファインダー出力回路
【図１】
2005175892.tif 000003
【図２】
2005175892.tif 000004
【図３】
2005175892.tif 000005
【図４】
2005175892.tif 000006
【図５】
2005175892.tif 000007